(57)【要約】【課題】紛失等の可能性を考慮して、機能性と安全性の効果を高めた財布を提供する。【解決手段】収納部３０を有する財布本体１１と、財布本体１１の開口部１１ａに設けられて開口部１１ａを開閉するファスナー１２と、を備え、ファスナー１２により開口部１１ａを閉じることで収納部３０が財布本体１１の内部に収納される財布１０であって、ファスナー１２は、そのスライダー１４の引手１５に、ファスナー１２により開口部１１ａを閉じた際に財布本体１１の開口部１１ａが施錠される施錠機構２０を備え、財布本体１１は、その外側に、財布本体１１の所有者の情報を表示する情報カード９０を内部に収納可能なポケット１９を備えるものである。【選択図】図１
2018134281.tif 000002
【特許請求の範囲】
【請求項１】
収納部を有する財布本体と、前記財布本体の開口部に設けられて前記開口部を開閉するファスナーと、を備え、前記ファスナーにより前記開口部を閉じることで前記収納部が前記財布本体の内部に収納される財布であって、
前記ファスナーは、そのスライダーの引手に、前記ファスナーにより前記開口部を閉じた際に前記財布本体の開口部が施錠される施錠機構を備え、
前記財布本体は、その外側に、前記財布本体の所有者の情報を表示する表示手段を収納可能な表示手段収納部を備えること
を特徴とする財布。
【請求項２】
前記収納部は、紙幣を収納する紙幣収納部と、硬貨を収納する硬貨収納部と、から少なくとも構成され、
前記紙幣収納部は、その内底部分に、前記紙幣収納部と前記硬貨収納部とを連通させて硬貨の通過を可能とする連通孔を有すること
を特徴とする請求項１に記載の財布。
【発明の詳細な説明】
【技術分野】
【０００１】
本発明は、収納部を有する財布本体と、前記財布本体の開口部に設けられて前記開口部を開閉するファスナーと、を備え、前記ファスナーにより前記開口部を閉じることで前記収納部が前記財布本体の内部に収納される財布に関するものである。
【背景技術】
【０００２】
従来、この種の財布としては、例えば、特許文献１に示すような財布が知られている。特許文献１に示す財布は、上端及び両側端にかけて開閉ファスナーを設けたものとして見開き自在とした本体の内部に、開閉ファスナー付き収納部及び収納部を装着したものとし、さらに前記本体の両側端に、開閉ファスナーの両側になるようにして、マチ部を設けたものである。
【０００３】
特許文献１の財布は、開閉ファスナーの両側端にマチ部を形成して本体内部の容積を大きくすることにより、硬貨等のばらつくものを収納しても本体が膨れ上がることがないように構成されている。
【先行技術文献】
【特許文献】
【０００４】
【特許文献１】特開２００２−１０１９３３号公報
【発明の概要】
【発明が解決しようとする課題】
【０００５】
しかしながら、特許文献１に示す従来の財布においては、買い物の際に、領収書と、紙幣と、硬貨とが同時に返金された場合には、領収書と、紙幣と、硬貨とをそれぞれの収納部に分けて収納しなければならず、それらの仕分けに手間がかかるとともに、混雑時や急ぎの場合には、それらを確実に仕分けることができないという問題がある。また、特許文献１に示す従来の財布においては、出掛け先等で誤って紛失した場合、仮に、第三者が当該財布を拾ったとしても、財布に所有者の情報がない場合には、財布が所有者のもとに戻ってくる確率が低いという問題がある。また、財布に所有者の情報があることにより、財布が所有者のもとに戻ってきた場合であっても、財布の中身が抜き取られた状態で戻ってくる確率が高いという問題がある。
【０００６】
そこで、本発明は、紛失等の可能性を考慮して、機能性と安全性の効果を高めた財布を提供することを目的とする。
【課題を解決するための手段】
【０００７】
本発明の解決しようとする課題は以上であり、次にこの課題を解決するための手段を説明する。
【０００８】
即ち、本発明に係る財布は、収納部を有する財布本体と、前記財布本体の開口部に設けられて前記開口部を開閉するファスナーと、を備え、前記ファスナーにより前記開口部を閉じることで前記収納部が前記財布本体の内部に収納される財布であって、前記ファスナーは、そのスライダーの引手に、前記ファスナーにより前記開口部を閉じた際に前記財布本体の開口部が施錠される施錠機構を備え、前記財布本体は、その外側に、前記財布本体の所有者の情報を表示する表示手段を収納可能な表示手段収納部を備えるものである。
【０００９】
本発明に係る財布は、上記財布において、前記収納部は、紙幣を収納する紙幣収納部と、硬貨を収納する硬貨収納部と、から少なくとも構成され、前記紙幣収納部は、その内底部分に、前記紙幣収納部と前記硬貨収納部とを連通させて硬貨の通過を可能とする連通孔を有するものである。
【発明の効果】
【００１０】
本発明によれば、財布の紛失時等において、財布本体の開口部が施錠された状態で、財布本体の所有者の情報を確認することができるため、財布の中身が抜き取られた状態で所有者のもとに戻ってくることを防止することができる。さらに、財布の使用時において、紙幣と硬貨とを紙幣収納部において同時に仕分けることができるため、紙幣と硬貨との仕分けを容易に確実に行うことができる。それゆえに、紛失等の可能性を考慮して、財布自体の機能性と安全性との両方の効果を向上させることができる。
【図面の簡単な説明】
【００１１】
【図１】本発明に係る財布の斜視図である。
【図２】本発明に係る財布の財布本体の内部を示す斜視図である。
【図３】本発明に係る財布の紙幣収納部に硬貨及び紙幣を収納した際の財布本体の内部を示す斜視図である。
【発明を実施するための形態】
【００１２】
まず、本発明に係る財布１０について説明する。図１及び図２に示すように、財布１０は、財布本体１１と、財布本体１１の開口部１１ａに設けられるファスナー１２と、財布本体１１の内部に設けられる収納部３０（硬貨収納部３１、紙幣収納部３２、カード類収納部３３、３４、フリー収納部３５）と、から構成される。
【００１３】
財布本体１１は、その上端及び両側端が開口可能な開口部１１ａを備え、ファスナー１２により開口部１１ａを開くことで、その内部が見開き自在に構成されている（財布本体１１がコ字状に大きく開くように構成されている）。財布本体１１は、例えば、カーボンレザーにより構成されている。財布本体１１は、その内部に収納部３０が設けられ、ファスナー１２により開口部１１ａを閉じることで収納部３０全体が覆われるように構成されている。すなわち、ファスナー１２により開口部１１ａを閉じることで、財布本体１１の内部が視認できない状態となる。
【００１４】
ファスナー１２は、財布本体１１の上端及び両側端にかけて開口部１１ａを開閉可能に設けられる。ファスナー１２は、そのエレメント１３を摺動するスライダー１４の引手１５に、スナップボタン１６の雌部材１７（凹状部材）が設けられている。なお、引手１５は、例えば、財布本体１１と同様に、カーボンレザーにより構成されている。
【００１５】
引手１５に設けられるスナップボタン１６の雌部材１７は、財布本体１１の底面部分１１ｂの外側であって、ファスナー１２の上止側に設けられるスナップボタン１６の雄部材１８（凸状部材）に嵌め合わせる。財布１０においては、ファスナー１２により財布本体１１の開口部１１ａを閉じた際に、引手１５を財布本体１１の底面部分１１ｂまで引くことにより、スナップボタン１６の雌部材１７と、雄部材１８とが嵌め合わせ可能な状態となる。スナップボタン１６の雌部材１７と、雄部材１８とを嵌め合わせることで、スライダー１４の引手１５が財布本体１１の底面部分１１ｂに取り付けられた状態となる。
【００１６】
スナップボタン１６の雌部材１７には、ファスナー１２により財布本体１１の開口部１１ａを閉じた際に財布本体１１の開口部１１ａを施錠するための施錠機構２０が設けられている。具体的には、スナップボタン１６の雌部材１７の表面（スナップボタン１６の雄部材１８を嵌め合わせる側と反対側の面）に、付属の鍵２１を嵌め合わせ可能な鍵孔２２を設け、付属の鍵２１を鍵孔２２に嵌め込んだ状態で所定の方向に回動させることで、雌部材１７の凹状部分（スナップボタン１６の雄部材１８を嵌め合わせる部分）の内径が縮小するように構成されている。このように雌部材１７を構成することにより、雌部材１７と、雄部材１８とを嵌め合わせた状態で、鍵孔２２に嵌め込まれた付属の鍵２１を所定の方向に回動させることで、雌部材１７の凹状部分の内径が縮小して、雄部材１８が雌部材１７により締め付けられた状態となる。そのため、雄部材１８が雌部材１７によりロックされ、スライダー１４の引手１５が財布本体１１の底面部分１１ｂに固定された状態となる。それゆえ、財布本体１１の開口部１１ａが施錠され、ファスナー１２により財布本体１１の開口部１１ａを開くことができなくなる。このように、財布１０においては、ファスナー１２により財布本体１１の開口部１１ａを閉じた際にスナップボタン１６を留め、付属の鍵２１により財布本体１１の開口部１１ａを施錠することで、財布１０の紛失時等に、財布１０の中身が抜き取られた状態で所有者のもとに戻ってくることを防止できる。
【００１７】
一方で、施錠機構２０を設けることにより、財布１０の中身の抜き取りを防止することができるが、財布１０の中身等から財布１０の所有者を知ることができない。そこで、財布１０においては、図１に示すように、財布本体１１の外側（表面）に、財布１０（財布本体１１）の所有者の情報（所有者の住所、電話番号等の連絡先）を記載した情報カード９０（「表示手段」の一例）を内部に収納可能なポケット１９（「表示手段収納部」の一例）が設けられている。
【００１８】
ポケット１９は、財布本体１１の一端部に開口部１９ａが形成されるとともに、財布本体１１の長手方向に沿って収納部分が延設される。ポケット１９は、情報カード９０を収納部分に収納した際に情報カード９０に記載されている情報が外側から視認できないように、財布本体１１の一部を袋状にして形成される。
【００１９】
ポケット１９に収納される情報カード９０は、厚紙により構成され、ポケット１９に収納可能な大きさに長方形状に形成されている。情報カード９０は、財布１０（財布本体１１）の所有者の情報（所有者の住所、電話番号等の連絡先）、財布１０を拾った第三者に対する謝礼等の情報を予め記載できるように構成されている。なお、情報カード９０は、厚紙により構成されたものに限定されるものではなく、財布１０（財布本体１１）の所有者の情報を表示（記載）可能な構成であり、且つポケット１９に収納可能なものであれば、例えば、板状の合成樹脂等により構成しても構わない。
【００２０】
このように、財布本体１１の外側に情報カード９０を収納可能なポケット１９を設けることで、施錠機構２０により財布本体１１の開口部１１ａを施錠した状態であっても、財布１０（財布本体１１）の所有者の情報を知ることができる。そのため、財布１０の紛失時等に、拾い主からの連絡が得易くなるとともに、財布１０の中身が抜き取られた状態で所有者のもとに戻ってくることを防止できる。
【００２１】
図２に示すように、財布本体１１の内部に設けられる収納部３０は、複数の収納部分により構成される。収納部３０のそれぞれの収納部分は、複数の仕切り部材（例えば、仕切り部材３６、３７）により仕切られている。収納部３０は、硬貨８０を収納する硬貨収納部３１と、紙幣８１を収納する紙幣収納部３２と、クレジットカード等のカード類を収納するカード類収納部３３、３４と、パスポート等を収納するフリー収納部３５と、から主に構成される。
【００２２】
硬貨収納部３１は、紙幣収納部３２と隣接する部分に設けられる。硬貨収納部３１は、紙幣収納部３２との仕切り部分である仕切り部材３６を蓋として用い、仕切り部材３６に設けられるスナップボタン４０の雄部材４１と、硬貨収納部３１のマチ部３９に設けられるスナップボタン４０の雌部材４２と、を嵌め合わせることで、蓋を閉じることができる。硬貨収納部３１は、そのマチ部３９を広くすることで、硬貨収納部３１を大きく開くことができるように構成されている。そのため、硬貨収納部３１に収納されている硬貨８０を容易に探すことができる。
【００２３】
紙幣収納部３２は、その内底部分に、硬貨収納部３１と紙幣収納部３２とを連通させて硬貨８０の通過を可能とする連通孔４５を有する。連通孔４５は、硬貨収納部３１と紙幣収納部３２との仕切り部分である仕切り部材３６の下側に設けられる一対のベルト４６により構成される。仕切り部材３６の下側に一対のベルト４６を設けて連通孔４５を形成することで、紙幣収納部３２に硬貨８０及び紙幣８１を同時に入れた場合に、硬貨８０のみが連通孔４５を通過して硬貨収納部３１へ収納され、紙幣８１は紙幣収納部３２内で動くことなく収納される。すなわち、紙幣収納部３２に紙幣８１及び硬貨８０を同時に入れることで、紙幣８１と、硬貨８０とが連通孔４５により自動的に仕分けられる。
【００２４】
図３に示すように、紙幣収納部３２は、フリー収納部３５との仕切り部分である仕切り部材３７に、使用頻度の高いクレジットカード等のカード類を収納するためのカードポケット４７が設けられている。カードポケット４７には所定枚数（例えば、２枚）のカード類を限定して収納することができる。そのため、限定して収納したカード類を容易に探すことができ、カード類を探すストレスを軽減することができる。
【００２５】
図２に示すように、第１カード類収納部３３は、カード類を財布本体１１に対して縦向きに収納可能な部分である。第１カード類収納部３３は、カード類を財布本体１１に対して縦向きに収納可能な複数の縦型のカードポケット３３ａにより構成されている。第１カード類収納部３３においては、カード類を財布本体１１に対して縦向きに収納することで、カード類の一端部が視認可能となるため、カード類をカードポケット３３ａから引っ張り出すことなくカード類の種類を容易に把握することができる。
【００２６】
第２カード類収納部３４は、カード類を財布本体１１に対して横向きに収納可能な部分である。第２カード類収納部３４は、カード類を財布本体１１に対して横向きに収納可能な複数の横型のカードポケット３４ａにより構成されている。
【００２７】
財布１０においては、カード類を収納可能な収納部を、第１カード類収納部３３と、第２カード類収納部３４と、カードポケット４７と、に分けることで、使用頻度に応じてカード類を分けて収納することができ、カード類の使い方に合わせてカード類の収納部を選択することができる。
【００２８】
フリー収納部３５は、紙幣収納部３２と、第１カード類収納部３３と、の間に設けられる収納部分である。フリー収納部３５は、パスポート、スマートフォン等が収納可能な程度にその横幅が広く構成されている。フリー収納部３５を設けることで、硬貨８０、紙幣８１、カード類以外の必要なものを１つの財布１０で持ち運ぶことができる。
【００２９】
以上のように、財布１０においては、財布１０の紛失時等において、財布本体１１の開口部１１ａが施錠された状態で、財布本体１１の所有者の情報を確認することができるため、財布１０の中身が抜き取られた状態で所有者のもとに戻ってくることを防止できる。さらに、財布１０の使用時において、紙幣８１と硬貨８０とを紙幣収納部３２において同時に仕分けることができるため、紙幣８１と硬貨８０との仕分けを容易に確実に行うことができる。それゆえに、紛失等の可能性を考慮して、財布１０自体の機能性と安全性との両方の効果を向上させることができる。
【００３０】
なお、本実施の形態においては、ファスナー１２が、財布本体１１の上端及び両側端にかけて開口部１１ａを開閉可能に設けられているが、これに限定されるものではなく、例えば、ファスナー１２を財布本体１１の上端のみ、或いは、財布本体１１の上端及び片側端（右側端又は左側端）に設けても構わない。
【符号の説明】
【００３１】
１０              財布
１１              財布本体
１１ａ            開口部
１２              ファスナー
１４              スライダー
１５              引手
１９              ポケット（表示手段収納部）
２０              施錠機構
９０              情報カード（表示手段）
【図１】
2018134281.tif 000003
【図２】
2018134281.tif 000004
【図３】
2018134281.tif 000005